【手続補正書】
【提出日】平成18年12月27日(2006.12.27)
【手続補正１】
【補正対象書類名】明細書
【補正対象項目名】特許請求の範囲
【補正方法】変更
【補正の内容】
【特許請求の範囲】
【請求項１】  ディジタル入力信号と、アナログ基準電圧レンジを受け取るスイッチを制御するための電源電圧レンジとを受け取るスイッチ・コントローラであって、前記電源電圧レンジを前記スイッチのスイッチ降伏電圧に等しくするか、または前記降伏電圧を超えることができ、前記スイッチ・コントローラは、
前記電源電圧レンジを受け取るためのスイッチＯＦＦ電圧発生器であって、前記スイッチＯＦＦ電圧発生器が、正のアナログ基準電圧より大きい正の生成ＯＦＦ電圧、および負のアナログ基準電圧より小さい負の生成ＯＦＦ電圧を生成し、前記正の生成ＯＦＦ電圧と前記負の生成ＯＦＦ電圧の間の電圧レンジが、前記スイッチ降伏電圧より小さいスイッチＯＦＦ電圧発生器と、
前記電源電圧レンジおよび前記アナログ基準電圧レンジを受け取るスイッチＯＮ電圧発生器であって、前記スイッチＯＮ電圧発生器は、予め定められた電圧によって、前記正のアナログ基準電圧より小さい正のＯＮ電圧を形成し、かつ、可変電圧によって、前記負のアナログ基準電圧より大きい負のＯＮ電圧を形成するスイッチＯＮ電圧発生器と、
前記正および負のＯＮ電圧を受け取るための前記スイッチＯＮ電圧発生器、および前記正および負の生成ＯＦＦ電圧を受け取るための前記スイッチＯＦＦ電圧発生器に結合された複数のスイッチ・ドライバ対であって、前記複数のスイッチ・ドライバ対が、前記ディジタル入力信号を、前記正のＯＮ電圧および前記正の生成ＯＦＦ電圧、または前記負のＯＮ電圧および前記負の生成ＯＦＦ電圧に変換し、かつ、それらを前記ディジタル入力信号に応じて前記スイッチのスイッチ制御端子に結合する複数のスイッチ・ドライバ対と
を備え、前記スイッチの前記スイッチ降伏電圧に等しくなることなく、あるいは前記降伏電圧を超えることなく前記スイッチを制御するスイッチ・コントローラ。
【請求項２】  アナログ基準電圧レンジと、スイッチ降伏電圧に等しいかあるいは前記降伏電圧を超える電源電圧レンジとを受け取るディジタル／アナログ変換器（ＤＡＣ）であって、前記ＤＡＣは、ディジタル入力レベルを有するディジタル入力信号を、前記アナログ基準電圧レンジ内のアナログ電圧信号の電圧レベルに変換し、
ディジタル入力レベルを有する前記ディジタル入力信号を受け取る複数のディジタル入力端子、前記アナログ電圧信号の電圧レベルを出力するアナログ出力端子、および、正のアナログ基準電圧より大きい正の電源電圧および負のアナログ基準電圧より小さい負の電源電圧をそれぞれ受け取る正および負の電源端子と、
前記アナログ出力端子に結合され、スイッチおよび前記ディジタル入力信号に応じて前記アナログ電圧信号の電圧レベルを前記アナログ出力端子上に生成するＲ−２Ｒ抵抗ラダーを有するスイッチＲ−２Ｒラダーであって、前記スイッチの各々が前記スイッチ降伏電圧、第１のスイッチＯＦＦおよび第１のスイッチＯＮ電圧レベルまたは第２のスイッチＯＦＦおよび第２のスイッチＯＮ電圧レベルを有し、前記スイッチＲ−２Ｒラダーが前記正および負のアナログ基準電圧、および複数のスイッチ制御信号を受け取り、前記スイッチ制御信号の各々が前記スイッチの１つの制御端子に結合されたスイッチＲ−２Ｒラダーと、
前記正のアナログ基準電圧より大きい前記正の電源電圧および前記負のアナログ基準電圧より小さい前記負の電源電圧を受け取る前記正および負の電源端子に結合された電圧発生器であって、スイッチ降伏を回避し、前記第１のスイッチＯＦＦ電圧レベルを提供するための、前記正のアナログ基準電圧より大きく、かつ、前記正の電源電圧より小さい実質的に固定の正の生成ＯＦＦ電圧を生成し、さらに、前記スイッチ降伏を回避し、前記第２のスイッチＯＦＦ電圧レベルを提供するための、前記負のアナログ基準電圧より小さく、かつ、前記負の電源電圧より大きい実質的に固定の負の生成ＯＦＦ電圧を生成する電圧発生器と、
ディジタル入力レベルを有する前記ディジタル入力信号および前記実質的に固定の正および負の生成ＯＦＦ電圧を受け取る前記複数のディジタル入力端子および前記電圧発生器に結合され、さらに、前記複数のスイッチ制御信号を生成する前記スイッチＲ−２Ｒラダーの各スイッチの各制御端子に結合されたスイッチ・コントローラであって、前記負のアナログ基準電圧に応じて、前記スイッチ降伏を回避し、かつ、前記第２のスイッチＯＮ電圧レベルを提供する負のＯＮ電圧を形成し、さらに、前記正のアナログ基準電圧に応じて、前記スイッチ降伏を回避し、かつ、前記第１のスイッチＯＮ電圧レベルを提供する正のＯＮ電圧を形成し、前記ディジタル入力信号、前記正および負の生成ＯＦＦ電圧、および前記正および負のアナログ基準電圧に応じて、第１および第２のスイッチＯＮおよびＯＦＦ電圧レベルを有する前記複数のスイッチ制御信号を生成し、それによりスイッチ降伏が回避され、前記第１および第２のスイッチＯＦＦ電圧レベル、および前記第１および第２のスイッチＯＮ電圧レベルが、前記複数のスイッチ制御信号に結合されるスイッチ・コントローラと
を備えるディジタル／アナログ変換器（ＤＡＣ）。
【請求項３】  電源電圧レンジ以下のスイッチ降伏電圧を有し、ディジタル入力信号レベルを有するディジタル入力信号をアナログ出力信号に変換するディジタル／アナログ変換器内のスイッチを切り換える方法であって、
ａ）前記ディジタル入力信号に応じて前記アナログ出力信号を生成するスイッチを有し、前記各スイッチがスイッチ制御端子および前記スイッチ降伏電圧を有するスイッチＲ−２Ｒラダーを提供するステップと、
ｂ）前記スイッチ降伏以上の電源電圧レンジを有する正の電源および負の電源を受け取るステップと、
ｃ）正のアナログ基準電圧と負のアナログ基準電圧の間のレンジが前記スイッチ降伏電圧より小さい、前記正のアナログ基準電圧および前記負のアナログ基準電圧を受け取るステップと、
ｄ）正の生成ＯＦＦ電圧と負の生成ＯＦＦ電圧の間の電圧レンジが前記スイッチ降伏電圧より小さい、前記正のアナログ基準電圧より大きい実質的に固定の前記正の生成ＯＦＦ電圧、および前記負のアナログ基準電圧より小さい実質的に固定の前記負の生成ＯＦＦ電圧を生成するステップと、
ｅ）前記正のアナログ基準電圧および前記負のアナログ基準電圧に応じて、それぞれ正のＯＮ電圧および負のＯＮ電圧を形成するステップであって、前記正のＯＮ電圧は、所定の電圧レベルだけ前記正のアナログ基準電圧より小さく、また、前記負のＯＮ電圧は、可変電圧レベルだけ前記負のアナログ基準電圧より大きい、正のＯＮ電圧および負のＯＮ電圧を形成するステップと、
ｆ）ディジタル入力信号レベルを有する前記ディジタル入力信号を受け取り、シフトされたディジタル入力信号を生成するために、ハイ論理レベル入力またはロー論理レベル入力に対して前記ディジタル入力信号の電圧レベルを前記正および負の生成ＯＦＦ電圧レベルにシフトするステップと、
ｇ）ディジタル／アナログ変換器内のスイッチを切り換え、前記スイッチ降伏電圧を回避するために、前記正または負の生成ＯＦＦ電圧をスイッチ制御端子に結合し、かつ、前記正または負のＯＮ電圧をスイッチ制御端子に結合するステップと
を含む、ディジタル／アナログ変換器内のスイッチを切り換える方法。
【請求項４】  スイッチ降伏電圧を超えるディジタル／アナログ変換器内のアナログ出力信号レンジを提供する方法であって、前記ディジタル／アナログ変換器は、ディジタル入力信号レベルを有するディジタル入力信号を前記アナログ出力信号に変換し、前記方法は、
ａ）前記ディジタル入力信号に応じて中間アナログ出力信号を生成するためのスイッチを有し、前記各スイッチがスイッチ制御端子および前記スイッチ降伏電圧を有するスイッチＲ−２Ｒラダーを提供するステップと、
ｂ）前記スイッチＲ−２Ｒラダーに結合された、利得が１より大きい増幅器を提供するステップと、
ｃ）前記スイッチＲ−２Ｒラダーが、前記ディジタル入力信号に応じて前記中間アナログ出力信号を生成し、かつ、
ｄ）前記増幅器が１より大きな増幅度を用いて前記中間アナログ出力信号を増幅し、この増幅された中間アナログ出力信号は、前記スイッチＲ−２Ｒラダーのスイッチの降伏電圧を超えるレンジを有する前記アナログ出力信号にするステップと
を含む、ディジタル／アナログ変換器内のアナログ出力信号レンジを提供する方法。
【請求項５】  スイッチ降伏電圧を超えるディジタル／アナログ変換器内のアナログ出力信号レンジを提供する方法であって、前記ディジタル／アナログ変換器は、ディジタル入力信号レベルを有するディジタル入力信号を前記アナログ出力信号に変換し、前記方法は、
ａ）前記ディジタル入力信号に応じて中間アナログ出力信号を生成するためのスイッチを有し、前記各スイッチがスイッチ制御端子および前記スイッチ降伏電圧を有するスイッチＲ−２Ｒラダーを提供するステップと、
ｂ）前記スイッチＲ−２Ｒラダーに結合された、利得が１より大きい増幅器を提供するステップと、
ｃ）前記スイッチＲ−２Ｒラダーが、前記ディジタル入力信号に応じて前記中間アナログ出力信号を生成し、かつ、前記増幅器が前記中間アナログ出力信号を受け取り、受け取った前記中間アナログ出力信号を１より大きい利得で、前記スイッチ降伏電圧を超えるレンジを有する前記アナログ出力信号に増幅するステップと、
ｄ）前記スイッチＲ−２Ｒラダー内のスイッチを制御するためのスイッチ・コントローラを提供するステップと、から構成され、
前記スイッチ・コントローラは、
ｉ）正のアナログ基準電圧と負のアナログ基準電圧の間のレンジが前記スイッチ降伏電圧より小さい、前記正のアナログ基準電圧および前記負のアナログ基準電圧を受け取り、
ｉｉ）正の生成ＯＦＦ電圧と負の生成ＯＦＦ電圧の間の電圧レンジが前記スイッチ降伏電圧より小さい、前記正のアナログ基準電圧より大きい実質的に固定の前記正の生成ＯＦＦ電圧、および前記負のアナログ基準電圧より小さい実質的に固定の前記負の生成ＯＦＦ電圧を生成し、
ｉｉｉ）前記正のアナログ基準電圧および前記負のアナログ基準電圧に応じて、それぞれ正のＯＮ電圧および負のＯＮ電圧を形成するステップであって、前記正のＯＮ電圧は、所定の電圧レベルだけ前記正のアナログ基準電圧より小さく、また、前記負のＯＮ電圧は、可変電圧レベルだけ前記負のアナログ基準電圧より大きい、正のＯＮ電圧および負のＯＮ電圧を形成し、
ｉｖ）ディジタル入力信号レベルを有する前記ディジタル入力信号を受け取り、シフトされたディジタル入力信号を生成するために、ハイ論理レベル入力またはロー論理レベル入力に対して前記ディジタル入力信号の電圧レベルを前記正および負の生成ＯＦＦ電圧レベルにシフトし、更に
ｖ）ディジタル／アナログ変換器内のスイッチを切り換え、前記スイッチ降伏電圧を回避するために、前記正または負の生成ＯＦＦ電圧をスイッチ制御端子に結合し、かつ、前記正または負のＯＮ電圧をスイッチ制御端子に結合する機能を有することを特徴とするディジタル／アナログ出力信号レンジを提供する方法。
【請求項６】  ディジテル入力信号レベルを有するディジタル入力信号をスイッチ降伏電圧を超えた電圧を有するアナログ出力信号に変換する方法であって、この方法は、
スイッチ降伏電圧を超える高電圧供給レベルをスイッチ降伏電圧を超えない安全制御電圧レベルにまでレベルをシフトするステップと、
ディジタル入力信号に応答して中間アナログ出力信号を発生するように、上記安全制御電圧レベルを使用してスイッチ降伏電圧を有するスイッチＲ−２Ｒラダー内のスイッチ群を切換えるステップと、
スイッチＲ−２Ｒラダー内のスイッチ群のスイッチ降伏電圧を超える電圧を有するアナログ出力信号を発生するために、１以上の増幅度で前記中間アナログ出力信号を増幅するステップと
から構成されることを特徴とする方法。